(57)【要約】【課題】ネットワークへの位置登録が拒絶されて、アプリケーションが無効に設定された場合に、本来有効なアプリケーションが無効のまま利用できないという問題がある。【解決手段】通信制御部４は、第１のネットワークへ第１のアプリケーションを用いて位置登録要求後、要求が拒絶されたときに、ＵＩＣＣ１２内の第１のアプリケーションを無効に設定するように構成され、その後、ＵＩＣＣ１２内の第２のネットワークへ第２のアプリケーションを用いて、位置登録要求後、要求が許可されたときに、第１のアプリケーションを有効に戻すように構成される。【選択図】図１
2016171495.tif 000002
【特許請求の範囲】
【請求項１】
第１のアプリケーションと、第２のアプリケーションが含まれる加入者識別カードと接続可能なインタフェースと、
ネットワークとの無線通信を制御するように構成された通信制御部と、
前記通信制御部は、第１のネットワークへ前記第１のアプリケーションを用いて位置登録要求後、要求が拒絶されたときに、前記第１のアプリケーションを無効に設定するように構成され、
その後、第２のネットワークへ前記第２のアプリケーションを用いて、位置登録要求後、要求が許可されたときに、前記第１のアプリケーションを有効に戻すように構成される、携帯端末。
【請求項２】
前記第１のネットワークは、ローミングネットワークであり、
前記第２のネットワークは、ホームネットワークである、請求項１記載の携帯端末。
【請求項３】
前記加入者識別カードは、ＵＩＣＣを含む、請求項１記載の携帯端末。
【請求項４】
前記第１のアプリケーションまたは前記第２のアプリケーションの一方は、ＵＳＩＭアプリケーションを含み、他方がＣＳＩＭアプリケーションを含む、請求項２記載の携帯端末。
【請求項５】
前記ＵＳＩＭアプリケーションは、ＧＳＭネットワーク、ＵＭＴＳネットワーク、およびＬＴＥネットワークに接続するための共通の加入者情報を含む、請求項４記載の携帯端末。
【請求項６】
前記ＣＳＩＭアプリケーションは、ＣＤＭＡネットワークおよびＥＶＤＯネットワークに接続するための共通の加入者情報を含む、請求項４記載の携帯端末。
【請求項７】
前記通信制御部は、前記第１のネットワークへの位置登録要求が拒絶された後、前記第１のアプリケーションが有効に設定された後でも、前記第１のネットワークへの位置登録要求をしない、請求項１記載の携帯端末。
【請求項８】
第１のアプリケーションと、第２のアプリケーションが含まれる加入者識別カードと接続可能な携帯端末の通信制御方法であって、
第１のネットワークへ前記第１のアプリケーションを用いて位置登録要求後、要求が拒絶されたときに、前記第１のアプリケーションを無効に設定するステップと、
その後、第２のネットワークへ前記第２のアプリケーションを用いて、位置登録要求後、要求が許可されたときに、前記第１のアプリケーションを有効に戻すステップとを備えた、通信制御方法。
【発明の詳細な説明】
【技術分野】
【０００１】
本開示は、携帯端末および通信制御方法に関する。
【背景技術】
【０００２】
従来から、複数のアプリケーションを記憶する加入者識別カードを用いて、複数のネットワークへのアクセスが可能な携帯端末が知られている。
【０００３】
たとえば、特許文献１に記載のＵＳＩＭ（Universal Subscriber Identification Module）カードには、２つのＵＳＩＭアプリケーションが記憶される。携帯端末は、いずれかのＵＳＩＭアプリーションを選択することによって、接続サービスを受けるネットワークを選択する。
【先行技術文献】
【特許文献】
【０００４】
【特許文献１】特開２００８−２７１１２１号公報
【発明の概要】
【発明が解決しようとする課題】
【０００５】
従来の方式では、あるアプリケーションを用いた第１のネットワークへの位置登録が拒絶された場合に、不正な加入者識別カードの利用を防止するため、そのアプリケーションが無効に設定される。
【０００６】
しかしながら、加入者識別カードは正当なものであり、位置登録が拒絶された理由が通信事業者側にある場合もある。それにも係らず、無効に設定されたアプリケーションは利用できないという問題がある。
【課題を解決するための手段】
【０００７】
一実施の形態の携帯端末は、第１のアプリケーションと、第２のアプリケーションが含まれる加入者識別カードと接続可能なインタフェースと、ネットワークとの無線通信を制御するように構成された通信制御部とを備える。通信制御部は、第１のネットワークへ第１のアプリケーションを用いて位置登録要求後、要求が拒絶されたときに、第１のアプリケーションを無効に設定するように構成され、その後、第２のネットワークへ第２のアプリケーションを用いて、位置登録要求後、要求が許可されたときに、第１のアプリケーションを有効に戻すように構成される。
【０００８】
一実施形態の通信制御方法は、第１のアプリケーションと、第２のアプリケーションが含まれる加入者識別カードと接続可能な携帯端末の通信制御方法であって、第１のネットワークへ第１のアプリケーションを用いて位置登録要求後、要求が拒絶されたときに、第１のアプリケーションを無効に設定するステップと、その後、第２のネットワークへ第２のアプリケーションを用いて、位置登録要求後、要求が許可されたときに、第１のアプリケーションを有効に戻すステップとを備える。
【発明の効果】
【０００９】
ネットワークへの位置登録が拒絶されて、アプリケーションが無効に設定された場合に、本来有効なアプリケーションが無効のまま利用できないという事態を防止できる。
【図面の簡単な説明】
【００１０】
【図１】実施の形態の携帯端末の構成を表わす図である。
【図２】ＵＩＣＣに含まれるアプリケーションを表わす図である。
【図３】ＵＩＣＣを用いた通信において想定される問題点および第１の実施形態の方式を説明するための通信システムを表わす図である。
【図４】方式１の動作例を説明するための図である。
【図５】第１の実施形態の携帯端末の制御手順を示すフローチャートである。
【図６】第１の実施形態による動作例を説明するための図である。
【図７】第２の実施形態の携帯端末の制御手順を示すフローチャートである。
【図８】変形例の携帯端末の制御手順を示すフローチャートである。
【発明を実施するための形態】
【００１１】
以下、実施の形態について図面を用いて説明する。
［第１の実施形態］
図１は、実施の形態の携帯端末の構成を表わす図である。
【００１２】
この携帯端末１は、無線通信部３と、アンテナ２と、通信制御部４と、ＵＩＣＣ（Universal Integrated Circuit Card）インタフェース９と、タッチパネル５と、ディスプレイ６と、マイク７と、スピーカ８と、カメラ１０とを備える。
【００１３】
無線通信部３は、アンテナ２を通じて、ホームネットワークまたはローミングネットワークと無線通信を行なう。ホームネットワークは、携帯端末１が契約している通信事業者のネットワークである。ローミングネットワークとは、携帯端末１が契約している通信事業者と提携している通信事業者のネットワークである。
【００１４】
通信制御部４は、無線通信部３によるホームネットワークまたはローミングネットワークとの無線通信を制御する。
【００１５】
ＵＩＣＣインタフェース９は、加入者識別カードであるＵＩＣＣから出力されるデータを受けて、通信制御部４へ出力する。
【００１６】
マイク７には、ユーザの音声などが入力されることができる。
スピーカ８は、通話相手の音声などを出力することができる。
【００１７】
ディスプレイ６は、設定画面などを表示することができる。表示部１２は、たとえば液晶ディスプレイによって構成されることができる。
【００１８】
カメラ１０は、被写体を撮影することができる。
タッチパネル５は、ユーザからの入力を受け付けることができる。
【００１９】
図２は、ＵＩＣＣ１２に含まれるアプリケーションを表わす図である。
ＵＩＣＣ１２は、ＵＳＩＭ（Universal Subscriber Identification Module）アプリケーションと、ＣＳＩＭ（CDMA Subscriber Identity Module）アプリケーションと、ＩＳＩＭ（Integrated Services Digital Network Subscriber Module）アプリケーションとを備える。
【００２０】
ＵＳＩＭアプリケーションは、３ＧＰＰ（Third Generation Partnership Project）移動通信システムに対応したアプリケーションである。
【００２１】
ＵＳＩＭアプリケーションは、ＧＳＭ（Global System for Mobile communications）（登録商標）、ＵＭＴＳ（Universal Mobile Telecommunications System）、およびＬＴＥ（Long Term Evolution）ネットワークに対して接続サービスを受けるための情報が記録されている。記録される情報には、ＧＳＭ、ＵＭＴＳ、およびＬＴＥネットワークに接続するための共通の加入者識別情報、共通の電話番号、ＧＳＭネットワークに接続するための通信プログラム、ＵＭＴＳネットワークに接続するための通信プログラム、およびＬＴＥネットワークに接続するための通信プログラムなどを含む。これらの通信プログラムは、ＧＳＭ、ＵＭＴＳ、およびＬＴＥ通信方式での通信のために携帯端末１と暗号化処理を伴う情報の送受信などに用いられる。
【００２２】
携帯端末１の通信制御部４は、ＧＳＭネットワーク、ＵＭＴＳネットワーク、またはＬＴＥネットワークとの通信を行う場合には、ＵＩＣＣ１２からＵＩＣＣインタフェース９を介してＵＳＩＭアプリケーションの共通の加入者識別情報を読み出して、この加入者識別情報を用いて位置登録要求を行なう。
【００２３】
ＣＳＩＭアプリケーションは、３ＧＰＰ（Third Generation Partnership Project）２移動通信システムに対応したアプリケーションである。
【００２４】
ＣＳＩＭアプリケーションは、ＣＤＭＡ（Code Division Multiple Access）およびＥＶＤＯ（Evolution Data Only）ネットワークに対して接続サービスを受けるための情報が記録されている。記録される情報には、ＣＤＭＡおよびＥＶＤＯネットワークに接続するための共通の加入者識別情報、共通の電話番号、ＣＤＭＡネットワークに接続するための通信プログラム、およびＥＶＤＯネットワークに接続するための通信プログラムなどを含む。これらの通信プログラムは、ＣＤＭＡおよびＥＶＤＯ通信方式での通信のために携帯端末１と暗号化処理を伴う情報の送受信などに用いられる。
【００２５】
携帯端末１の通信制御部４は、ＣＤＭＡネットワーク、またはＥＶＤＯネットワークとの通信を行う場合には、ＵＩＣＣ１２からＵＩＣＣインタフェース９を介してＣＳＩＭアプリケーションの共通の加入者識別情報を読み出して、この加入者識別情報を用いて位置登録要求を行なう。
【００２６】
ＩＳＩＭアプリケーションは、ＩＭＳ（Internet Protocol Multimedia Subsystem）ネットワークに対して接続サービスを受けるための情報が記録されている。記録される情報には、ＩＭＳネットワークに接続するための加入者識別情報、電話番号、およびＩＭＳネットワークに接続するための通信プログラムなどを含む。この通信プログラムは、ＩＭＳ通信方式での通信のために携帯端末１と暗号化処理を伴う情報の送受信などに用いられる。
【００２７】
携帯端末１の通信制御部４は、ＩＭＳネットワークとの通信を行う場合には、ＵＩＣＣ１２からＵＩＣＣインタフェース９を介してＩＳＩＭアプリケーションの加入者識別情報を読み出して、この加入者識別情報を用いて位置登録要求を行なう。
【００２８】
上述のＵＳＩＭアプリケーション、ＣＳＩＭアプリケーション、およびＩＳＩＭアプリケーションは、個別に管理されている。したがって、たとえば、ＵＳＩＭアプリケーションが利用できない場合でも、ＣＳＩＭアプリケーションを利用することができる。
【００２９】
図３は、ＵＩＣＣを用いた通信において想定される問題点および第１の実施形態の方式を説明するための通信システムを表わす図である。
【００３０】
携帯端末１が契約している通信事業者は、ＣＤＭＡネットワークとＬＴＥネットワークとを提供している。したがって、携帯端末１のホームネットワーク２０は、ＣＤＭＡネットワークとＬＴＥネットワークである。
【００３１】
携帯端末１が契約している通信事業者と提携している通信事業者は、ＵＭＴＳネットワークを提供している。したがって、携帯端末１のローミングネットワーク３０は、ＵＴＭＳネットワークである。
【００３２】
図４は、方式１の動作例を説明するための図である。
ステップＳ３０１において、携帯端末１が、ホームネットワーク２０のカバーエリアに存在するときに、通信制御部４は、ＣＳＩＭアプリケーションを用いて、ホームネットワーク２０のＣＤＭＡネットワークに位置登録要求を送信する。
【００３３】
ステップＳ３０２において、通信制御部４は、位置登録要求の受諾を受信する。
ステップＳ３０３において、携帯端末１が、ホームネットワーク２０のカバーエリアに存在するときに、通信制御部４は、ＵＳＩＭアプリケーションを用いて、ホームネットワーク２０のＬＴＥネットワークに位置登録要求を送信する。
【００３４】
ステップＳ３０４において、通信制御部４は、位置登録要求の受諾を受信する。
ステップＳ３０５において、携帯端末１が、ホームネットワーク２０のカバーエリアからローミングネットワーク３０のカバーエリアに移動する。通信制御部４は、ＵＳＩＭアプリケーションを用いて、ローミングネットワーク３０のＵＭＴＳネットワークに位置登録要求を送信する。
【００３５】
ステップＳ３０６において、ＵＩＣＣのローミング情報とネットワークの情報がマッチしていないことによって、通信制御部４は、位置登録要求の拒絶を受信する。
【００３６】
ステップＳ３０７において、通信制御部４は、ＵＳＩＭアプリケーションに含まれる加入者識別情報を不正として扱い、ＵＳＩＭアプリケーションを無効に設定する。これにより、ＧＳＭネットワーク、ＵＭＴＳネットワーク、およびＬＴＥネットワークとの接続が不可能となる。
【００３７】
ステップＳ３０８において、携帯端末１が、ローミングネットワーク３０のカバーエリアからホームネットワーク２０のカバーエリアに移動する。通信制御部４は、ＣＳＩＭアプリケーションを用いて、ホームネットワーク２０のＣＤＭＡネットワークに位置登録要求を送信する。
【００３８】
ステップＳ３０９において、通信制御部４は、位置登録要求の受諾を受信する。
ステップＳ３１０において、通信制御部４は、ホームネットワーク２０のＬＴＥネットワークとの接続を必要とした場合でも、接続することができない。なぜなら、ＵＳＩＭアプリケーションが無効に設定されているからである。このような状態から回復するためには、携帯端末１のユーザによる、ＵＩＣＣの抜き差し、または携帯端末１の再起動などの対応が必要となる。ユーザが異常に気づいて上記対応を取るまでは、携帯端末１は、ＬＴＥネットワークへ接続することができない。
【００３９】
ローミングネットワーク３０への位置登録要求が拒絶されたため、ＵＳＩＭアプリケーションが無効に設定されたが、ホームネットワーク２０への位置登録要求が受諾された場合には、ＵＳＩＭアプリケーションの加入者識別情報が、不正な情報でない可能性がある。なぜなら、携帯端末１のユーザが不正にネットワークへの接続を試みたのではなく、過去においてローミングパートナーであったが、すでにローミング契約が満了しているなどの通信事業者側の事情によって、ＵＩＣＣのローミング情報とネットワークの情報がマッチしなかった可能性があるからである。
【００４０】
それゆえ、本実施の形態では、通信制御部４は、ローミングネットワークへの位置登録要求が拒絶されたため、アプリケーションが無効に設定された場合でも、その後、ホームネットワークへの位置登録要求が受諾された場合には、無効に設定されたアプリケーションを有効に戻すことができる。
【００４１】
図５は、第１の実施形態の携帯端末１の制御手順を示すフローチャートである。
ステップＳ５０１において、あるアプリケーション（以下、第１のアプリケーション）を用いた位置登録要求が拒絶された場合に、処理がステップＳ５０２に進む。
【００４２】
ステップＳ５０２において、通信制御部４は、第１のアプリケーションを無効に設定することができる。これにより、通信制御部４による第１のアプリケーションを用いた位置登録が不可能となる。
【００４３】
ステップＳ５０３において、別のアプリケーション（以下、第２のアプリケーション）を用いた位置登録要求が受諾された場合には、処理がステップＳ１０４に進む。
【００４４】
ステップＳ５０４において、位置登録要求を拒絶したネットワークがローミングネットワークの場合に、処理がステップＳ５０５に進む。
【００４５】
ステップＳ５０５において、位置登録要求を受諾したネットワークがホームネットワークの場合に、処理がステップＳ５０６に進む。
【００４６】
ステップＳ５０６において、通信制御部４は、第１のアプリケーションを有効に設定することができる。これにより、通信制御部４による第１のアプリケーションを用いた位置登録が可能となる。
【００４７】
図６は、第１の実施形態による動作例を説明するための図である。
ステップＳ３０１〜Ｓ３０９は、図４のステップＳ３０１〜Ｓ３０９と同様なので、説明を繰り返さない。
【００４８】
ステップＳ４１０において、通信制御部４は、ホームネットワーク２０に位置登録要求が受諾されたことに応じて、無効に設定されているＵＳＩＭアプリケーションを有効に戻す。
【００４９】
ステップＳ４１１において、通信制御部４は、ＵＳＩＭアプリケーションを用いて、ホームネットワーク２０のＬＴＥネットワークに位置登録要求を送信する。
【００５０】
ステップＳ４１２において、通信制御部４は、位置登録要求の受諾を受信する。
以上のように、第１の実施形態によれば、ローミングネットワークから位置登録の拒絶を受けて利用不可能となったアプリケーションを、ホームネットワークから位置登録を受諾された場合には、利用可能に戻すことができる。これにより、ユーザ操作に依らず、有効なアプリケーションが無効にされたまま利用されないという事態を防止することができる。
【００５１】
［第２の実施形態］
携帯端末１が、ホームネットワークとローミングネットワークの境界に位置するときには、ローミングネットワークから位置登録要求の拒絶、拒絶によるアプリケーションの無効設定、ホームネットワークへの位置登録要求の受諾、受諾によるアプリケーションの無効を有効に戻す処理を繰り返すおそれがある。
【００５２】
第２の実施形態では、通信制御部４は、位置登録要求を拒絶したネットワークを表わす情報を記憶しておき、再度、同じネットワークの圏内へ移動したとしても、そのネットワークでは位置登録要求を行わない。これによって、無用な位置登録要求の送信および位置登録要求の拒絶の受信を省くことができる。
【００５３】
図７は、第２の実施形態の動作手順を示すフローチャートである。
ステップＳ６０１において、あるアプリケーション（以下、第１のアプリケーション）を用いた位置登録要求が拒絶された場合に、処理がステップＳ６０２に進む。
【００５４】
ステップＳ６０２において、通信制御部４は、第１のアプリケーションを無効に設定することができる。これにより、通信制御部４による第１のアプリケーションを用いた位置登録が不可能となる。
【００５５】
ステップＳ６０３において、位置登録要求を拒絶したネットワークがローミングネットワークの場合に、処理がステップＳ６０４に進む。
【００５６】
ステップＳ６０４において、通信制御部４は、ローミングネットワークへの位置登録要求が拒絶された後、ローミングネットワークへの位置登録要求を控えるようにすることができる。通信制御部４は、ステップＳ６０７で第１のアプリケーションが有効に戻された後でも、ローミングネットワークへの位置登録要求の停止を維持し続ける。
【００５７】
ステップＳ６０５において、別のアプリケーション（以下、第２のアプリケーション）を用いた位置登録要求が受諾された場合には、処理がステップＳ６０６に進む。
【００５８】
ステップＳ６０６において、位置登録要求を受諾したネットワークがホームネットワークの場合に、処理がステップＳ６０７に進む。
【００５９】
ステップＳ６０７において、通信制御部４は、第１のアプリケーションを有効に設定することができる。これにより、通信制御部４による第１のアプリケーションを用いた位置登録が可能となる。
【００６０】
以上のように、第２の実施形態によれば、携帯端末１が、ホームネットワークとローミングネットワークの境界に位置するときには、ローミングネットワークから位置登録要求の拒絶を受けると、ローミングネットワークへの位置登録要求を送信しないので、位置登録要求の送信、それに対する拒絶の受信といった無用な処理が実行されないようにすることができる。
【００６１】
（変形例）
本開示は、上記の実施形態に限定されるものではない。
【００６２】
上記の実施の形態では、通信制御部４は、ローミングネットワークへの位置登録要求が拒絶されたときに、その位置登録要求に用いたアプリケーションを無効に設定し、その後ホームネットワークへの位置登録要求が受諾された場合に、ＵＩＣＣを不正に利用していないと判断して、無効に設定したアプリケーションを有効に戻した。
【００６３】
ローミングネットワークとホームネットワークの関係が逆であってもよい。
すなわち、通信制御部４は、ホームネットワークへの位置登録要求が何らかの理由で拒絶されたときに、その位置登録要求に用いたアプリケーションを無効に設定し、その後ローミングネットワークへの位置登録要求が受諾された場合に、ＵＩＣＣを不正に利用していないと判断して、無効に設定したアプリケーションを有効に戻すものとしてもよい。
【００６４】
あるいは、本開示は、複数のローミングネットワーク間にも適用できる。
すなわち、通信制御部４は、あるローミングネットワークへの位置登録要求が何らかの理由で拒絶されたときに、その位置登録要求に用いたアプリケーションを無効に設定し、その後、別のローミングネットワークへの位置登録要求が受諾された場合に、ＵＩＣＣを不正に利用していないと判断して、無効に設定したアプリケーションを有効に戻すものとしてもよい。
【００６５】
また、本開示は、複数のアプリケーションについて位置登録要求が拒絶された場合にも適用できる。通信制御部４は、例えば、第１のアプリケーションを用いて行ったローミングネットワークへの位置登録要求が何らかの理由で拒絶され、第２のアプリケーションを用いて行ったローミングネットワークへの位置登録要求が何らかの理由で拒絶されたときに、第１のアプリケーションおよび第２のアプリケーションを無効に設定する。その後、第３のアプリケーションを用いて行ったホームネットワークへの位置登録要求が受諾された場合に、通信制御部４は、ＵＩＣＣを不正に利用していないと判断して、無効に設定した第１および第２のアプリケーションを有効に戻すものとしてもよい。
【００６６】
図８は、変形例の携帯端末１の制御手順を示すフローチャートである。
ステップＳ７０１において、あるアプリケーション（以下、第１のアプリケーション）を用いた位置登録要求が拒絶された場合に、処理がステップＳ７０２に進む。
【００６７】
ステップＳ７０２において、通信制御部４は、第１のアプリケーションを無効に設定することができる。これにより、通信制御部４による第１のアプリケーションを用いた位置登録が不可能となる。
【００６８】
その後、ステップＳ７０３において、あるアプリケーション（以下、第２のアプリケーション）を用いた位置登録要求が拒絶された場合に、処理がステップＳ７０４に進む。第２のアプリケーションを用いた位置登録要求が拒絶されない場合に、処理がステップＳ７０５に進む。
【００６９】
ステップＳ７０４において、通信制御部４は、第２のアプリケーションを無効に設定することができる。これにより、通信制御部４による第２のアプリケーションを用いた位置登録が不可能となる。
【００７０】
ステップＳ７０５において、別のアプリケーション（以下、第３のアプリケーション）を用いた位置登録要求が受諾された場合には、処理がステップＳ７０６に進む。
【００７１】
ステップＳ７０６において、ステップＳ７０１で位置登録要求を拒絶したネットワーク、またはステップＳ７０１とＳ７０３の両方で位置登録要求を拒絶したネットワークがローミングネットワークの場合に、処理がステップＳ７０７に進む。
【００７２】
ステップＳ７０７において、ステップＳ７０５で位置登録要求を受諾したネットワークがホームネットワークの場合に、処理がステップＳ７０８に進む。
【００７３】
ステップＳ７０８において、通信制御部４は、ステップＳ７０２で無効にした第１のアプリケーション、またはステップＳ７０２で無効にした第１のアプリケーションおよびステップＳ７０４で無効にした第２のアプリケーションを有効に設定することができる。これにより、通信制御部４による第１のアプリケーション、または第１のアプリケーションおよび第２のアプリケーションを用いた位置登録が可能な状態に復元できる。
【００７４】
なお、第１のアプリケーションおよび第２のアプリケーションが位置登録要求を行うローミングネットワークは、同じローミングネットワークでも別のローミングネットワークであってもよい。さらに、ローミングネットワークとホームネットワークの関係が逆である場合、第１のアプリケーションおよび第２のアプリケーションが位置登録要求を行うネットワークは、ホームネットワークであり、第３のアプリケーションが位置登録要求を行うネットワークは、ローミングネットワークであってもよい。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１  携帯端末、２  アンテナ、３  無線通信部、４  通信制御部、５  タッチパネル、６  ディスプレイ、７  マイク、８  スピーカ、９  ＵＩＣＣインタフェース、１０  
カメラ、１２  ＵＩＣＣ、２０  ホームネットワーク、３０  ローミングネットワーク。
【図１】
2016171495.tif 000003
【図２】
2016171495.tif 000004
【図３】
2016171495.tif 000005
【図４】
2016171495.tif 000006
【図５】
2016171495.tif 000007
【図６】
2016171495.tif 000008
【図７】
2016171495.tif 000009
【図８】
2016171495.tif 000010